(57)【要約】【課題】浴槽部の浴水に適切なサイズのマイクロナノバブルを十分な数量だけ発生させられる浴水処理システムを提供する。【解決手段】浴水処理システム１は、浴水を貯留する浴槽部３と、浴槽部３と下部連通路５および上部連通路６で連通するマイクロナノバブル発生部４とを有し、マイクロナノバブル発生部３は、下部連通路５と上部連通路６との間に、浴水にマイクロナノバブルを導入する第１のマイクロナノバブル発生装置７と、第１のマイクロナノバブル発生装置７の上方に、第１のマイクロナノバブル発生装置７が発生したマイクロナノバブルを含む浴水を吸い込んで、さらにマイクロナノバブルを導入しながら、上部連通路６に向かって吐出する第２のマイクロナノバブル発生装置８とを備える。【選択図】図１
2008104608.tif 000002
【特許請求の範囲】
【請求項１】
浴水を貯留する浴槽部と、
前記浴槽部と下部連通路および前記下部連通路の上方に設けた上部連通路で連通するマイクロナノバブル発生部とを有し、
前記マイクロナノバブル発生部は、前記下部連通路と前記上部連通路との間に、前記浴水に空気を導入してマイクロナノバブルを発生させる第１のマイクロナノバブル発生装置と、
前記第１のマイクロナノバブル発生装置の上方に、前記第１のマイクロナノバブル発生装置が発生したマイクロナノバブルを含む前記浴水を吸い込んで、さらに空気を導入してマイクロナノバブルを発生させ、前記上部連通路に向かって前記浴水を吐出する第２のマイクロナノバブル発生装置とを備えることを特徴とする浴水処理システム。
【請求項２】
前記第１のマイクロナノバブル発生装置は、回転撹拌方式のマイクロナノバブル発生装置であることを特徴とする請求項１に記載の浴水処理システム。
【請求項３】
前記第２のマイクロナノバブル発生装置は、旋回流方式のマイクロナノバブル発生装置であることを特徴とする請求項１または２に記載の浴水処理システム。
【請求項４】
前記第２のマイクロナノバブル発生装置は、加圧溶解ポンプ方式のマイクロナノバブル発生装置であることを特徴とする請求項１または２に記載の浴水処理システム。
【請求項５】
前記第２のマイクロナノバブル発生装置は、コンプレッサ加圧方式のマイクロナノバブル発生装置であることを特徴とする請求項１または２に記載の浴水処理システム。
【請求項６】
前記第２のマイクロナノバブル発生装置は、ノズル噴射方式のマイクロナノバブル発生装置であることを特徴とする請求項１または２に記載の浴水処理システム。
【請求項７】
前記第２のマイクロナノバブル発生装置の吸込口を、前記第１のマイクロナノバブル発生装置と前記第２のマイクロナノバブル発生装置との間に設けたことを特徴とする請求項１から６のいずれかに記載の浴水処理システム。
【請求項８】
前記上部連通路は、前記浴槽部の内部に延伸する折り曲げ自在なホースを備えることを特徴とする請求項１から７のいずれかに記載の浴水処理システム。
【請求項９】
前記浴水の濁度を計測する濁度計と、
前記濁度計の測定値に応じて、前記浴水に界面活性剤を投入する界面活性剤投入装置とをさらに有することを特徴とする請求項１から８のいずれかに記載の浴水処理システム。
【請求項１０】
前記界面活性剤は、ボディソープであることを特徴とする請求項９に記載の浴水処理システム。
【請求項１１】
前記マイクロナノバブル発生部は、前記下部連通路と前記第１のマイクロナノバブル発生装置との間に、前記浴水中の浮遊物を吸着する付着剤を保持することを特徴とする請求項１から１０のいずれかに記載の浴水処理システム。
【請求項１２】
前記付着剤は、ひも状のポリ塩化ビニリデンであることを特徴とする請求項１１に記載の浴水処理システム。
【請求項１３】
前記付着剤は、リング状のポリ塩化ビニリデンであることを特徴とする請求項１１に記載の浴水処理システム。
【請求項１４】
前記第２のマイクロナノバブル発生装置は、循環ポンプを用いるマイクロナノバブル発生装置であり、前記循環ポンプの吐出を分岐して、前記浴水をシャワーノズルに供給可能であることを特徴とする請求項１から１３のいずれかに記載の浴水処理システム。
【請求項１５】
前記第２のマイクロナノバブル発生装置は、循環ポンプを用いるマイクロナノバブル発生装置であり、前記循環ポンプの吐出を分岐して、前記浴水を洗濯機に供給可能であることを特徴とする請求項１から１４のいずれかに記載の浴水処理システム。
【請求項１６】
浴槽部から導出した浴水に、第１のマイクロナノバブル発生装置によって空気を導入してマイクロナノバブルを発生させ、
前記第１のマイクロナノバブル発生装置でマイクロナノバブルを発生させた浴水に、第２のマイクロナノバブル発生装置によって、さらに空気を導入してマイクロナノバブルを発生させるとともに、第１のマイクロナノバブル発生装置で発生させたマイクロナノバブルを微細化して前記浴槽部に環流させることを特徴とする浴水処理方法。
【請求項１７】
浴槽部内に炭酸ガス発生固形物を投入することを特徴とする請求項１６に記載の浴水処理方法。
【請求項１８】
浴水に入浴剤を投入することを特徴とする請求項１６または１７に記載の浴水処理方法。
【発明の詳細な説明】
【技術分野】
【０００１】
本発明は浴水処理システムおよび浴水処理方法に関する。
【背景技術】
【０００２】
特許文献１には、マイクロナノバブルを含む浴水に入浴することで疲労回復の効果がある旨の記載がある。また、マイクロナノバブルを導入した浴水に入浴することで血流を改善でき、糖尿病患者の脚先の壊疽等を防止できることが知られている。
【０００３】
このような血流改善効果は、マイクロナノバブルの径が小さい方が効果的である。しかしながら、小径のマイクロナノバブルを発生させられるマイクロナノバブル発生装置は、容量が小さく、人間が入浴できるだけの浴水全体に十分な量のマイクロナノバブルを導入するには多数のマイクロナノバブル発生装置を設置する必要があった。小径のマイクロナノバブルを発生させる装置として知られている旋回流方式のマイクロナノバブル発生装置を例にとると、１つの浴槽に１０台ものマイクロナノバブル発生装置を設けた実例がある。
【０００４】
【特許文献１】特開２００４−１２１９６２号公報
【非特許文献１】上山智嗣、宮本誠著「マイクロバブルの世界  水と気体の織りなす力」工業調査会、２００６年２月発行
【発明の開示】
【発明が解決しようとする課題】
【０００５】
前記問題点に鑑みて、本発明は、浴槽部の浴水に適切なサイズのマイクロナノバブルを十分な数量だけ発生させられる浴水処理システムおよび浴水処理方法を提供することを課題とする。
【課題を解決するための手段】
【０００６】
前記課題を解決するために、本発明による浴水処理システムは、浴水を貯留する浴槽部と、前記浴槽部と下部連通路および前記下部連通路の上方に設けた上部連通路で連通するマイクロナノバブル発生部とを有し、前記マイクロナノバブル発生部は、前記下部連通路と前記上部連通路との間に、前記浴水に空気を導入してマイクロナノバブルを発生させる第１のマイクロナノバブル発生装置と、前記第１のマイクロナノバブル発生装置の上方に、前記第１のマイクロナノバブル発生装置が発生したマイクロナノバブルを含む前記浴水を吸い込んで、さらに空気を導入してマイクロナノバブルを発生させ、前記上部連通路に向かって前記浴水を吐出する第２のマイクロナノバブル発生装置とを備えるものとする。
【０００７】
この構成によれば、第１のマイクロナノバブル発生装置が浴水中に導入したマイクロナノバブルを、第２のマイクロナノバブル発生装置でさらに微細化することができる。よって、第１のマイクロナノバブル発生装置に、比較的バブル径が大きく、導入空気量の大きなものを適用して、第２のマイクロナノバブル発生装置で所望の大きさまで微細化するように構成することで、所望のサイズのマイクロナノバブルを大量に発生させることができる。このため、この浴水処理システムは、入浴による十分な血流改善効果が得られ、糖尿病改善、免疫機能活性化、心機能向上、胃潰瘍抑制などの効果が期待できる。
【０００８】
また、本発明の浴水処理システムにおいて、前記第１のマイクロナノバブル発生装置は、回転撹拌方式のマイクロナノバブル発生装置であってもよい。
【０００９】
回転撹拌方式のマイクロナノバブル発生装置は、比較的径が大きいマイクロナノバブルしか生成できないが、浴水中に大量のマイクロナノバブルを導入することができる。これらのマイクロナノバブルは、第２のマイクロナノバブル発生装置において、さらに微細化されて、十分な量、且つ、十分に小径のマイクロナノバブルになる。
【００１０】
また、本発明の浴水処理システムにおいて、前記第２のマイクロナノバブル発生装置は、旋回流方式、加圧溶解ポンプ方式、コンプレッサ加圧方式またはノズル噴射方式のマイクロナノバブル発生装置であってもよい。
【００１１】
この構成によれば、第２のマイクロナノバブル発生装置が、浴水に微細なマイクロナノバブルを導入しつ、第１のマイクロナノバブル発生装置が導入したマイクロナノバブルをさらに微細化することで、小径のマイクロナノバブルを十分な数量だけ得ることができる。
【００１２】
また、本発明の浴水処理システムにおいて、前記第２のマイクロナノバブル発生装置の吸込口を、前記第１のマイクロナノバブル発生装置と前記第２のマイクロナノバブル発生装置との間に設けてもよい。
【００１３】
この構成によれば、第１のマイクロナノバブル発生装置が生成したマイクロナノバブルを、第２のマイクロナノバブル発生装置が効率よく吸い込んで微細化することができる。
【００１４】
また、本発明の浴水処理システムにおいて、前記上部連通路は、前記浴槽部の内部に延伸する折り曲げ自在なホースを備えてもよい。
【００１５】
この構成によれば、前記第２のマイクロナノバブル発生装置が吐出するマイクロナノバブル含有水を浴槽部内の所望の場所に案内でき、人体の任意の部分の血流を集中的に改善することができる。
【００１６】
また、本発明の浴水処理システムは、前記浴水の濁度を計測する濁度計と、前記濁度計の測定値に応じて、前記浴水に界面活性剤を投入する界面活性剤投入装置とをさらに有してもよい。
【００１７】
この構成によれば、濁度計でマイクロナノバブルの発生状況を確認し、界面活性剤、好ましくは、ボディソープを投入してマイクロナノバブルの発生しやすさを調整することで、適切な量のマイクロナノバブルを生成できることを保証する。
【００１８】
また、本発明の浴水処理システムにおいて、前記マイクロナノバブル発生部は、前記下部連通路と前記第１のマイクロナノバブル発生装置との間に、浴水中の浮遊物を吸着する付着剤、好ましくは、ひも状ポリ塩化ビニリデンまたはリング状ポリ塩化ビニリデンからなる付着剤を保持してもよい。
【００１９】
この構成によれば、浴水中の灰汁を除去することができる。
【００２０】
また、本発明の浴水処理システムにおいて、前記第２のマイクロナノバブル発生装置は、循環ポンプを用いるマイクロナノバブル発生装置であり、前記循環ポンプの吐出を分岐して、前記浴水をシャワーノズルに供給可能であってもよい。
【００２１】
この構成によれば、マイクロナノバブル含有水のシャワーを浴びることができ、特に、洗髪に使用することで、脱毛防止、育毛効果が期待でき、さらに、顔のしわや弛みを改善する効果も期待できる。
【００２２】
また、本発明の浴水処理システムにおいて、前記第２のマイクロナノバブル発生装置は、循環ポンプを用いるマイクロナノバブル発生装置であり、前記循環ポンプの吐出を分岐して、前記浴水を洗濯機に供給可能であってもよい。
【００２３】
この構成によれば、マイクロナノバブル含有水を洗濯に使用することができ、マイクロナノバブルの洗浄効果により、洗剤を節約することができる。
【００２４】
また、本発明による浴水処理方法は、浴槽部から導出した浴水に、第１のマイクロナノバブル発生装置によって空気を導入してマイクロナノバブルを発生させ、前記第１のマイクロナノバブル発生装置でマイクロナノバブルを発生させた前記浴水に、第２のマイクロナノバブル発生装置によって、さらに空気を導入してマイクロナノバブルを発生させるとともに、第１のマイクロナノバブル発生装置で発生させたマイクロナノバブルを微細化して前記浴槽部に環流させる方法とする。
【００２５】
この方法によれば、第１のマイクロナノバブル発生装置が浴水中に導入したマイクロナノバブルを、第２のマイクロナノバブル発生装置でさらに微細化して、微細なマイクロナノバブルを大量に発生させることができる。微細なマイクロなのバブルを十分に含む浴水に入浴することで、糖尿病改善、免疫機能活性化、心機能向上、胃潰瘍抑制などの効果が期待できる。
【００２６】
また、本発明の浴水処理方法において、浴槽部内に炭酸ガス発生固形物や入浴剤を投入してもよい。
【発明の効果】
【００２７】
本発明によれば、第１のマイクロナノバブル発生装置が浴水中に導入したマイクロナノバブルを、第２のマイクロナノバブル発生装置でさらに微細化して、微細なマイクロナノバブルを大量に発生させるので、比較的簡単な装置で十分な量のマイクロナノバブルを発生させることができる。
【発明を実施するための最良の形態】
【００２８】
これより、本発明の実施形態について、図面を参照しながら説明する。
図１に、本発明の第１実施形態の浴水処理システム１を示す。浴水処理システム１は浴水を貯留する水槽であって、隔壁２によって区切られた浴槽部３とマイクロナノバブル発生部４とを有する。
【００２９】
隔壁２には、上下に配置された貫通口である下部連通路５および上部連通路６が設けられている。つまり、マイクロナノバブル発生部４は、下部連通路５および下部連通路５の上方の上部連通路６とで浴槽部３に連通している。
【００３０】
また、マイクロナノバブル発生部４は、高さ方向に下部連通路５と上部連通路６との間に第１のマイクロナノバブル発生装置７を備え、さらに、第１のマイクロナノバブル発生装置７の上方に、第２のマイクロナノバブル発生装置８を備える。
【００３１】
第１のマイクロナノバブル発生装置７は、インペラの回転により浴水を吸引し遠心力で外周に噴出させるものであり、ブロワ９により調節弁１０を介して空気が導入され、インペラで浴水とともに空気を回転撹拌することで浴水中にマイクロナノバブルを発生させる回転撹拌方式のマイクロナノバブル発生装置である。
【００３２】
マイクロナノバブルとは、一般に、直径が数百ｎｍから約１０μｍの気泡を指すが、回転撹拌方式のマイクロナノバブル発生装置７は、その中では大きめのμｍサイズの気泡を多く生成し、例えば、毎分５リットルの空気をマイクロナノバブルとして浴水中に導入することができる。
【００３３】
第２のマイクロナノバブル発生装置８は、マイクロナノバブル発生部４内の浴水を吸い込んで吐出する給水ポンプ１１から供給された浴水に高速な旋回流を形成させ、旋回流によって負圧を形成して調節弁１２を介して空気を自吸して導入し、旋回流によって吸い込んだ空気を剪断してマイクロナノバブルを発生させる旋回流方式のマイクロナノバブル発生装置である。
【００３４】
旋回流方式のマイクロナノバブル発生装置８は、マイクロナノバブルの中でも小さめのｎｍサイズの気泡を多く生成できるが、例えば、最大毎分１リットルの空気しかマイクロナノバブルとして浴水中に導入することができない。
【００３５】
また、第２のマイクロナノバブル発生装置８は、マイクロナノバブルを含む浴水を上部連通路６に向かって吐出するように配置されている。
【００３６】
また、給水ポンプ１１の吸水口、つまり、第２のマイクロナノバブル発生装置８の吸水口は、第１のマイクロナノバブル発生装置７と第２のマイクロナノバブル発生装置８との間に設けられている。
【００３７】
続いて、以上の構成からなる浴水処理システム１の作用効果について説明する。
第２のマイクロナノバブル発生装置８は、上部連通路６から浴槽部３に浴水を流出させるので、その分の浴水がマイクロナノバブル発生部４に下部連通路５を通して浴槽部３から流入する。
【００３８】
第１のマイクロナノバブル発生装置７は、浴槽部８から流入した浴水に空気を導入してマイクロナノバブルを発生させ、全周から略水平方向に噴出させる。
【００３９】
第１のマイクロナノバブル発生装置７が発生したマイクロナノバブルを含む浴水は、給水ポンプ１１に吸い込まれ、第２のマイクロナノバブル発生装置８に供給される。第２のマイクロナノバブル発生装置８は、さらに調節弁１２を介して吸い込んだ空気を浴水中に導入してマイクロナノバブルを発生させる。
【００４０】
このとき、第２のマイクロナノバブル発生装置８における旋回流は、新たに供給された空気を剪断してマイクロナノバブルを生成するだけでなく、既に浴水中に含まれている大きめのマイクロナノバブルをさらに剪断して微細なマイクロナノバブルに分割する。
【００４１】
つまり、第２のマイクロナノバブル発生装置８にその自吸能力を超えた空気を、第１のマイクロナノバブル発生装置７が大きめのマイクロナノバブルとして供給することで、第１のマイクロナノバブル発生装置７単体では生成できないような微細なマイクロナノバブルを、第２のマイクロナノバブル発生装置８単体では生成できないほど多量に発生させることができる。
【００４２】
例えば、第１のマイクロナノバブル発生装置７の空気導入量が毎分５リットルであり、第２のマイクロナノバブル発生装置８の空気導入量が毎分１リットルであるとき、浴水処理システム１は、第１のマイクロナノバブル発生装置７では作り得ない微細なマイクロナノバブルを、空気量にして毎分６リットルも発生させることができるのである。
【００４３】
つまり、浴水処理システム１は、２種類のマイクロナノバブル発生装置７，８を組み合わせることで、微細なマイクロナノバブルを多量に発生させるので、比較的設備が簡単で大型化せず、しかも、低コストである。
【００４４】
マイクロナノバブルは、人体を刺激して血流を増加させる効果があり、マイクロナノバブルを含む浴水に入浴することで、血糖値低下による糖尿病改善、免疫機能活性化、心機能向上、胃潰瘍抑制、しわの予防改善、毛髪の育毛促進などの様々な効果があることが報告されている。さらに、これらの効果は、マイクロナノバブルの径が小さいほど効果が高く、当然ながらマイクロナノバブルが多いほど効果がある。したがって、微細なマイクロナノバブルを多量に発生させられる浴水処理システム１は、高い健康、美容効果が期待できる。
【００４５】
次に、図２に、本発明の第２実施形態の浴水処理システム１を示す。以降の説明において、先に説明した構成要素と同じ構成要素には同一の符号を付して説明を省略する。
【００４６】
本実施形態の浴水処理システム１は、上部連通路６に浴槽部３の内部に延伸し、自在に折り曲げて、その形状を維持することのできる、例えば、蛇腹状のホース１３が設置されている。また、この浴水処理システム１は、マイクロナノバブル発生部４の上部を封止可能な蓋体１４を有する。
【００４７】
ホース１３により、第２のマイクロナノバブル発生装置８から吐出されるマイクロナノバブルを含んだ浴水を、入浴者の所望の部位、例えば、特に血行改善が望まれるつま先等に導いて、マイクロナノバブルを集中的に接触させることができる。
【００４８】
このホース１３は、フランジなどの手段によって、着脱可能に設けられてもよいことはいうまでもない。
【００４９】
図３に、本発明の第３実施形態の浴水処理システム１を示す。本実施形態の浴水処理システム１は、ホース１３の内部に小孔板１５が配設されており、浴槽部３内の浴水の濁度を測定する濁度計１６、浴槽部３に界面活性剤を投入可能な界面活性剤投入装置１７、および、濁度計１６の測定値に応じて界面活性剤投入装置１７に界面活性剤を投入するように指示するコントローラ１８を備えている。
【００５０】
本実施形態の浴水処理システム１では、ホース１３に小孔板１５を設けたことで、ホース１３から流出する浴水の速度を緩和して、浴水を人体に柔らかく当てることができる。
【００５１】
また、浴水中のマイクロナノバブルが多くなると、浴水は白濁してくる。よって、濁度計１６によって浴水中のマイクロナノバブルの密度を測定することができる。マイクロナノバブルの量が足りない場合、コントローラ１８は界面活性剤投入装置１７に、浴水中に界面活性剤を投入させる。界面活性剤を投入することにより、マイクロナノバブルの発生効率が高くるので、マイクロナノバブルの量を所定量以上に維持することができる。
【００５２】
なお、界面活性剤としては、人体に優しいボディソープを用いることができる。
【００５３】
図４に、本発明の第４実施形態の浴水処理システム１を示す。本実施形態の浴水処理システム１は、マイクロナノバブル発生部８の下部連通路５と第１のマイクロナノバブル発生装置７との間に、多孔板１９で挟み込むようにして、浴水中の浮遊物を吸着する付着剤としてリング状のポリ塩化ビニリデン２０を保持している。
【００５４】
リング状のポリ塩化ビニリデン２０は、浴水中の灰汁を吸着することができ、浴水を清浄に保つことができる。
【００５５】
また、リング状のポリ塩化ビニリデン２０に替えて、図５に示す本発明の第５実施形態の浴水処理システム１のように、ひも状のポリ塩化ビニリデン２１や、他の付着剤を使用してもよい。
【００５６】
図６に、本発明の第６実施形態の浴水処理システム１を示す。本実施形態の浴水処理システム１は、給水ポンプ１１の吐出側をバルブ２２，２３，２４で分岐して、マイクロナノバブル発生部４内の浴水をシャワーノズル２５および洗濯機２６に供給可能としたものである。
【００５７】
マイクロナノバブルを含有する浴水は、脱毛防止、育毛促進の効果があるので、シャワーノズル２５に浴水を供給することで、洗髪に利用し易くできる。また、シャワーノズル２５は洗顔にも利用されるので、顔のしわや弛みの改善や防止の美容効果が期待できる。
【００５８】
また、マイクロナノバブルは、衣類等の洗濯において汚れを落とす効果がある。よって、浴水処理システム１の残り湯を洗濯機２６の導入して洗濯に利用することで、汚れを落とし易くすることができ、洗剤の節約も可能になる。
【００５９】
図７に、本発明の第７実施形態の浴水処理システム１を示す。本実施形態の浴水処理システム１は、マイクロナノバブル発生部４の第２のマイクロナノバブル発生装置８のさらに上方の浴水を吸い出す移送ポンプ２７と、浴水に入浴剤を投入する入浴剤投入装置２８と、洗濯機２６に洗剤を投入する洗剤投入装置２９とを有する。
【００６０】
また、図７は、浴水処理システム１の浴槽部３の浴水に炭酸ガス発生固形物３０を投入した様子を示している。
【００６１】
本実施形態では、移送ポンプ２７を設けたことで、シャワーを使用しても、供給ポンプ１１から第２のマイクロナノバブル発生装置８に供給される浴水の量に変化がなく、安定したマイクロナノバブルの発生ができる。
【００６２】
また、本実施形態のように、炭酸ガス発生固形物３０を投入することで、発生した二酸化炭素をマイクロナノバブル発生部４に取り込み、マイクロナノバブル発生装置７，８で微細化して、二酸化炭素からなるマイクロナノバブルを発生させることができる。
【００６３】
このようにして生成した二酸化炭素からなるマイクロナノバブルによって、血流増大や疲労回復の効果を更に高める効果が期待できる。
【００６４】
また、入浴剤投入装置２８によって浴水中に入浴剤を投入することもでき、入浴剤の効果によって、美容健康効果を更に高めることができる。
【００６５】
以上の実施形態においては、第２のマイクロナノバブル発生装置８が旋回流方式のマイクロナノバブル発生装置である例を説明したが、第２のマイクロナノバブル発生装置８は、渦流タービンポンプを用いた加圧溶解ポンプ方式、気体をコンプレッサで加圧してマイクロナノバブルを発生させる加圧ポンプ方式、および、加圧溶解した水を噴射装置を通して乱流にすることで気泡を析出させるノズル噴射方式のいずれの方式のマイクロナノバブル発生装置を適用してもよい。
【図面の簡単な説明】
【００６６】
【図１】本発明の第１実施形態の浴水処理システムの概略図。
【図２】本発明の第２実施形態の浴水処理システムの概略図。
【図３】本発明の第３実施形態の浴水処理システムの概略図。
【図４】本発明の第４実施形態の浴水処理システムの概略図。
【図５】本発明の第５実施形態の浴水処理システムの概略図。
【図６】本発明の第６実施形態の浴水処理システムの概略図。
【図７】本発明の第７実施形態の浴水処理システムの概略図。
【符号の説明】
【００６７】
１  浴水処理システム
３  浴槽部
４  マイクロナノバブル発生部
５  下部連通路
６  上部連通路
７  第１のマイクロナノバブル発生装置（回転撹拌方式）
８  第２のマイクロナノバブル発生装置（旋回流方式）
１３  ホース
１６  濁度計
１７  界面活性剤投入装置
２０  リング状ポリ塩化ビニリデン（付着剤）
２１  ひも状ポリ塩化ビニリデン（付着剤）
２５  シャワーノズル
２６  洗濯機
【図１】
2008104608.tif 000003
【図２】
2008104608.tif 000004
【図３】
2008104608.tif 000005
【図４】
2008104608.tif 000006
【図５】
2008104608.tif 000007
【図６】
2008104608.tif 000008
【図７】
2008104608.tif 000009